(57)【要約】【課題】水道水の浄化に用いる浄水器（常用）を提供し、なおかつ、この浄水器を非常用としても使用することを可能とする。【解決手段】通常時には、常用の浄水器として、膜フィルター１２の上流に、配管３０を介して電動ポンプ１６及び活性炭フィルター１４を連結して、第１の浄水器１０を構成するものである。そして、活性炭フィルター１４の上流に水道管を連結し、電動ポンプ１６により水道水を膜フィルター１２へと圧送することで高度の浄水を行ない、安全かつ美味しい水を提供する。非常時には、膜フィルター１２を除いた要素、すなわち、電動ポンプ１６及び活性炭フィルター１４を、手動ポンプ２６及びディスクフィルター２４に交換し、第２の浄水器２０を構成する。そして、ディスクフィルター２４を水源５０に投入して、不特定の被処理水の浄水を行ない、安全な飲用水を提供する。【選択図】図１
2015085217.tif 000002
【特許請求の範囲】
【請求項１】
膜フィルター、活性炭フィルター、ディスクフィルター、電動ポンプ、手動ポンプ、及び、これら各要素を連結可能な複数の配管が含まれ、
前記膜フィルターの上流に、前記配管を介して前記電動ポンプ及び前記活性炭フィルターを連結してなる第１の浄水器と、
前記膜フィルターの上流に、前記配管を介して前記手動ポンプ及び前記ディスクフィルターを連結してなる第２の浄水器とが、
前記膜フィルターを除いた要素の交換により、選択的に構成可能であることを特徴とする浄水器。
【請求項２】
少なくとも、前記膜フィルターと、前記電動ポンプ又は前記手動ポンプとを連結する配管の継ぎ手に、着脱自在な共通のコネクタが用いられていることを特徴とする請求項１記載の浄水器。
【請求項３】
前記手動ポンプは、クッションタンクを一体に備える往復動式手動ポンプであることを特徴とする請求項１又は２記載の浄水器。
【請求項４】
膜フィルター、活性炭フィルター、ディスクフィルター、電動ポンプ、手動ポンプ、及び、これら各要素を連結可能な複数の配管を用意し、
通常時には、前記膜フィルターの上流に、前記配管を介して前記電動ポンプ及び前記活性炭フィルターを連結して第１の浄水器を構成し、前記活性炭フィルターの上流に水道管を連結して、水道水の浄水を行ない、
非常時には、前記膜フィルターを除いた要素を、前記手動ポンプ及び前記ディスクフィルターに交換し、前記膜フィルターの上流に、前記配管を介して前記手動ポンプ及び前記ディスクフィルターを連結して第２の浄水器を構成し、前記ディスクフィルターを水源に投入して、被処理水の浄水を行なうことを特徴とする浄水器の使用方法。
【請求項５】
少なくとも、前記膜フィルターと、前記電動ポンプ又は前記手動ポンプとを連結する配管の継ぎ手に、着脱自在な共通のコネクタを用いることを特徴とする請求項４記載の浄水器の使用方法。
【請求項６】
前記手動ポンプに、クッションタンクを一体に備える往復動式手動ポンプを用いることを特徴とする請求項４又は５記載の浄水器の使用方法。
【発明の詳細な説明】
【技術分野】
【０００１】
本発明は、浄水器及びその使用方法に関するものである。
【背景技術】
【０００２】
近年、ボトルウォータの普及と共に、住宅における浄水器の普及が進んでいる。この浄水器は、水道水の水質を、より高度に浄化することにより安心・安全な水を得たい、塩素臭、結合塩素起因のカルキ臭を取り除き、水道水の風味をより良くして、美味しい水を得たい、といったような、ユーザの水に対する志向の高まりが反映されたものである。このため、活性炭、ＭＦ膜、ＵＦ膜又はＲＯ膜を用い、水道蛇口に取り付ける形式の簡易小型浄水器が広く普及している。又、より高度な水浄化を可能とすべく、ＮＦ膜、ＲＯ膜及び必要に応じ活性炭を台所シンク下等に配置する、据付型浄水器も広く普及している（例えば、特許文献１、２）。
【０００３】
一方、近年の防災意識の高まりを受けて、緊急時の水の確保に大きな関心が集まっている。本出願人らは、水の浄化に関して鋭意研究を進めており、上記要請に対応した、携行型浄水キットを開発している。この携行型浄水キットは、電力等の動力源が不要な手動式の浄水器を、携帯性に優れるように分解し、使用時には容易に組立て可能に構成したものである。具体的な構成としては、精密ろ過（ＭＦ）膜、限外ろ過（ＵＦ）膜又は逆浸透（ＲＯ）膜等を使用し、これらろ過膜への水の供給を、手動ポンプで行なうようにしたことで、災害時はもちろんのこと、レジャー目的、軍用装備品等、非常用の様々な用途に適合するものとなっている（例えば、特許文献３）。
【先行技術文献】
【特許文献】
【０００４】
【特許文献１】特開２００５−１８５９８５号公報
【特許文献２】特開２００７−０２９８３６号公報
【特許文献３】特開２０１０−２２１２０６号公報
【発明の概要】
【発明が解決しようとする課題】
【０００５】
本発明は、上記のごとく、ユーザの水に対する志向の高まりを受けて、水道水の浄化に用いる浄水器（常用）を提供し、なおかつ、この浄水器を非常用としても使用することを可能とし、非常用浄水器を常備する手間とコストとを、削減することを目的とするものである。
【０００６】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００７】
（１）膜フィルター、活性炭フィルター、ディスクフィルター、電動ポンプ、手動ポンプ、及び、これら各要素を連結可能な複数の配管が含まれ、前記膜フィルターの上流に、前記配管を介して前記電動ポンプ及び前記活性炭フィルターを連結してなる第１の浄水器と、前記膜フィルターの上流に、前記配管を介して前記手動ポンプ及び前記ディスクフィルターを連結してなる第２の浄水器とが、前記膜フィルターを除いた要素の交換により、選択的に構成可能である浄水器（請求項１）。
本項に記載の浄水器は、通常時には、常用の浄水器として、膜フィルターの上流に、配管を介して電動ポンプ及び活性炭フィルターを連結してなる第１の浄水器を構成する。そして、活性炭フィルターの上流に水道管を連結し、電動ポンプにより水道水を膜フィルターへと圧送することで高度の浄水を行ない、安全かつ美味しい水を提供するものである。第１の浄水器は、例えば台所シンク下等に配置する据付型浄水器として機能するものである。
【０００８】
一方、非常時には、膜フィルターを除いた要素、すなわち、電動ポンプ及び活性炭フィルターを、手動ポンプ及びディスクフィルターに交換するものである。そして、膜フィルターの上流に、配管を介して手動ポンプ及びディスクフィルターを連結して第２の浄水器を構成し、ディスクフィルターを水源に投入して、不特定の被処理水の浄水を行ない、安全な飲用水を提供するものである。第２の浄水器は、第１の浄水器を構成していた膜フィルターを、河川やプール等の、飲用水としての水質基準を満たさない水源地に持ち込み、手動ポンプ及びディスクフィルターと組み合わせることで、非常用浄水器として機能するものとなる。
すなわち、本項に係る浄水器は、第１の浄水器と第２の浄水器とを、適宜構成可能な構成要素を含み、常用の浄水器である第１の浄水器の膜フィルターを、非常用の浄水器である第２の浄水器の膜フィルターとしても共用し、常用と非常用とで兼用するものである。
【０００９】
（２）上記（１）項において、少なくとも、前記膜フィルターと、前記電動ポンプ又は前記手動ポンプとを連結する配管の継ぎ手に、着脱自在な共通のコネクタが用いられている浄水器（請求項２）。
本項に記載の浄水器は、第１の浄水器から分離した膜フィルターを用いて、第２の浄水器を構成する際に、電動ポンプから膜フィルターを分離し、手動ポンプへと接続するものである。そして、膜フィルターと、電動ポンプ又は手動ポンプとを連結する配管の継ぎ手に、着脱自在な共通のコネクタを用いることで、分離・接続作業を簡単かつ確実とするものである。
【００１０】
（３）上記（１）（２）項において、前記手動ポンプは、クッションタンクを一体に備える往復動式手動ポンプである浄水器（請求項３）。
本項に記載の浄水器は、第１の浄水器を構成する態様では、膜フィルターに対し、電動ポンプにより一定流量で連続した、被処理水の供給を行なうものであり、膜フィルターの膜分離容量も、この連続する一定流量に基づき決定されるものである。一方、第２の浄水器を構成する態様において、往復動式手動ポンプにより被処理水の供給を行なう場合には、吸引動作と吐出動作とで１サイクルを構成することに起因した被処理水供給の脈動が生じると、吐出動作のときにのみ膜フィルターの膜分離が行われ、処理効率が１/２となってしまう。そこで、手動ポンプに、クッションタンクを一体に備える往復動式手動ポンプを用い、膜フィルターに対して連続一定流量の被処理水供給を行なうことで、膜フィルターに対し一定流量で連続した被処理水供給を行なうものである。これにより、第１の浄水器を構成する態様を基準として膜分離容量が決定された膜フィルターで、第２の浄水器を構成する際にも、同様の処理効率を得るものである。
【００１１】
（４）膜フィルター、活性炭フィルター、ディスクフィルター、電動ポンプ、手動ポンプ、及び、これら各要素を連結可能な複数の配管を用意し、通常時には、前記膜フィルターの上流に、前記配管を介して前記電動ポンプ及び前記活性炭フィルターを連結して第１の浄水器を構成し、前記活性炭フィルターの上流に水道管を連結して、水道水の浄水を行ない、非常時には、前記膜フィルターを除いた要素を、前記手動ポンプ及び前記ディスクフィルターに交換し、前記膜フィルターの上流に、前記配管を介して前記手動ポンプ及び前記ディスクフィルターを連結して第２の浄水器を構成し、前記ディスクフィルターを水源に投入して、被処理水の浄水を行なう浄水器の使用方法（請求項４）。
【００１２】
（５）上記（４）項において、少なくとも、前記膜フィルターと、前記電動ポンプ又は前記手動ポンプとを連結する配管の継ぎ手に、着脱自在な共通のコネクタを用いる浄水器の使用方法（請求項５）
（６）上記（４）（５）項において、前記手動ポンプに、クッションタンクを一体に備える往復動式手動ポンプを用いる浄水器の使用方法（請求項６）。
そして、上記（４）から（６）項記載の浄水器の使用方法は、上記（１）から（３）項記載の浄水器を使用する方法であり、上記（１）から（３）項記載の浄水器と同様の作用が得られるものである。
【発明の効果】
【００１３】
本発明はこのように構成したので、水道水の浄化に用いる浄水器（常用）を、非常用としても使用することを可能とし、非常用浄水器を常備する手間とコストとを、削減することが可能となる。
【図面の簡単な説明】
【００１４】
【図１】本発明の実施の形態に係る浄水器の構成を示す模式図であり、（ａ）は常用時の態様を、（ｂ）は非常時の態様を示すものである。
【発明を実施するための形態】
【００１５】
以下、本発明を実施するための最良の形態を添付図面に基づいて説明する。
本発明の実施の形態に係る浄水器は、図１（ａ）に示される第１の浄水器１０と、図１（ｂ）に示される第２の浄水器２０とを、選択的に構成することが可能なものである。このため、本発明の実施の形態では、膜フィルター１２、活性炭フィルター１４、電動ポンプ１６、濾過フィルター１８、ディスクフィルター２４、手動ポンプ２６、フロート２８、及び、これら各要素を連結可能な樹脂チューブ等の複数の配管３０が含まれる、浄水器セットとして構成されている。
【００１６】
第１の浄水器１０は、膜フィルター１２の上流に、配管３０を介して電動ポンプ１６及び活性炭フィルター１４を連結してなるものである。図１（ａ）のフローでは、更に、水道管と接続される最上流側に、本装置内では比較的粗めの５μｍ程度の濾過フィルター１８（１８Ａ）を配置している。以後順に、水道水に含まれる塩素を除去する活性炭フィルター１４（前処理活性炭１４Ａ）、上流側において何らかのトラブルが生じた場合のバックアップ用として１μｍ程度の濾過フィルター１８（チェックフィルター１８Ｂ）が配置される。
【００１７】
本例では、膜フィルター１２としてＲＯ膜を用い、その外形は、長さ２６２ｍｍ、直径７４ｍｍのものを１本使用し、造水能力は常圧５５０ｋＰａで４０〜７０Ｌ／ｈ程度である。又、ＲＯ膜は使いきり（使い捨て）されるものである。ＲＯ膜の収納ケースの上部に設置されているＴＤＳ（総溶解固形分：Ｔｏｔａｌ  Ｄｉｓｓｏｌｖｅｄ  Ｓｏｌｉｄｓ）メータ（図示省略）のセンサーは、ＲＯ膜の入口と出口との両配管の中に、夫々インサートされており、被処理水のＴＤＳ値に対して、処理水（飲料水）のＴＤＳ値が１５％を超える頃に、予備のＲＯ膜と交換される。そして、膜フィルター１２は適切なケースに収納され、その他の構成要素とは別体をなしている。なお、膜フィルター１２には、適宜、ＲＯ膜以外の膜ろ過手段（ＭＦ膜、ＵＦ膜等）を用いることとしても良い。
膜フィルター１２の処理水側の下流には、活性炭フィルター１４（改質用活性炭１４Ｂ）が配置されることで、より一層の「美味しい水」が提供されることとなる。一方、膜フィルター１２により分離された濃縮水は、被処理水としての水道水を高度処理した残渣であることから、汚染度は低く、トイレ洗浄水や園芸散水等の雑用水として利用可能である。なお、第１の浄水器１０を構成する際には、上述の浄水器セットに含まれる、ディスクフィルター２４、手動ポンプ２６、フロート２８及び必要な配管３０については、持ち運び用の容器やバッグにひとまとめに収納し、膜フィルター１２の設置場所の近傍に待機させておくことが望ましい。
【００１８】
これに対し、第２の浄水器２０は、膜フィルター１２の上流に、配管３０を介して手動ポンプ２６及びディスクフィルター２４を連結してなるものである。図１（ｂ）のフローでは、ディスクフィルター２４は、河川やプール等の、飲用水としての水質基準を満たさない水源５０に投入されるものである。そして、第２の浄水器１０を構成する際には、第１の浄水器１０から膜フィルター１２のみを取り外し、上述の浄水器セットに含まれる、ディスクフィルター２４、手動ポンプ２６、フロート２８及び必要な配管３０を収納した、持ち運び用の容器やバッグと共に、水源地へと持ち込むものである。
ところで、被処理水として河川やプール等を吸引する場合に、水道水と比較して汚濁度が高いことから、第１の浄水器１０で使用される活性炭フィルター１４や濾過フィルター１８（１８Ａ、１８Ｂ）を使用すると、交換頻度が高くなり、非常時の使用には適切ではない。このため、第２の浄水器２０は、活性炭フィルター１４および濾過フィルター１８を使用することなく構成されている。
【００１９】
ディスクフィルター２４の具体例としては、長さ１５７ｍｍ、直径４８ｍｍの複数のディスクが円筒状ハウジング内蔵され、ディスク間距離が１００μｍ、固液分離用の目孔１００μｍ程度の仕様となっている。各ディスクの間隔は調整可能であり、ディスクフィルター２４が目詰まりした場合には、間隔を広げて水洗いを行ない、再度間隔を狭めることで、再利用可能である。各ディスクの間隔調整機構としては、複数のディスクフィルターを、端部にネジ溝か形成された軸に挿通して端部をネジで固定し、このネジを緩めることでディスク間隔を広げ、締め付けることでディスク間隔を所定値に狭める構造等が採用可能である。
加えて、ディスクフィルター２４と手動ポンプ２６とを連結する配管３０には、発泡スチロール製の（直径７５ｍｍ）球状フロート２８が装着されており、ディスクフィルター２４の水中での高さを調整することで、底泥を吸い込むことを回避する。
【００２０】
手動ポンプ２６は、クッションタンク３２を一体に備える往復動式手動ポンプが用いられている。手動ポンプ２６は、一例として、操作ハンドル２６ａを含む高さが５００ｍｍ、胴部２６ｂの最大直径５５ｍｍ、往復動作の行程が１５０ｍｍである。又、クッションタンク３２の容量は、手動ポンプ２６の内容積の１／２〜２倍程度を目安に採用されている。本例では、手動ポンプ２６の内容量の、１．２倍の容量を有するクッションタンク３２が使用されている。
クッションタンク３２の上部には、手動ポンプ２６の吸引動作と吐出動作とで１サイクルを構成することに起因する、間欠流れを連続流れに変換するための、空気溜まり３２ａが形成される。
【００２１】
又、空気溜まり３２ａに貯留される空気は、時間経過と共に送り出される水に同伴して、少しづつ減少することから、適宜、クッションタンク３２に設けられたドレン弁３２ｂ及び空気取り込み弁３２ｃを開放し、空気溜まり３２ａに新たな空気を取り込む。
本例では、クッションタンク３２の縦／横比は３〜５倍程度の縦長形状である。又、空気と水との接触面積を小さくし、水に同伴して空気溜まり３２ａの空気の減少を防ぐために、クッションタンク３２の高さ方向の中間部よりもやや上方位置には、オリフィス板３２ｄが設置されている。本発明者らの鋭意研究の結果、オリフィス板３２ｄの中心孔の径は、クッションタンク３２の内径の１／２〜１／４程度で所望の効果が得られることが検証されている。なお、クッションタンク３２の空気溜まり３２ａの空気の減少は、第２の浄水器２０により得られる処理水が、連続的にではなく間欠的な断続流になることで、把握することが可能である。
【００２２】
更に、クッションタンク３２内の圧力が高くなりすぎることを防ぐために、クッションタンク３２にはリリーフ弁３２ｅが設けられている。そして、０．８〜０．９ＭＰａ程度にクッションタンク３２の内部圧力が達した時点で、リリーフ弁３２ｅが自動開放される。又、クッションタンク３２には、操作者による圧力監視用の圧力計３２ｆも設置されている。
手動ポンプ２６及びクッションタンク３２は、軽量化のために何れも主要部品が樹脂製であることが望ましく、両者は一体化されている。手動ポンプ２６及びクッションタンク３２に用いられる樹脂材料としては、ポリプロピレン、ポリエチレン、ＡＢＳ、ＰＶＣ等の、耐食性、耐久性に優れた材料が用いられる。そして、膜フィルター１２、ディスクフィルター２４及び手動ポンプ２６を含む、第２の浄水器２０の、装置全体としての重さは、使用前で８ｋｇ程度に納められ、水源地への持ち運びが容易となっている。
【００２３】
更に、少なくとも、膜フィルター１２と、電動ポンプ１６又は手動ポンプ２６とを連結する配管３０の継ぎ手に、着脱自在な共通のコネクタが用いられている。すなわち、電動ポンプ１６及び手動ポンプ２６と、配管３０とを着脱自在に連結するコネクタを、同形状及び同孔径のコネクタとしたものである。その他の要素間を接続する配管３０の継ぎ手に関しては、あらかじめ必要なフローとなる接続状態で配管３０を固定してもよいが、取扱い性の観点から、同様に着脱自在な共通のコネクタを用いることとしても良い。
【００２４】
なお、第１の浄水器１０を構成して水処理を行なう場合には、膜フィルター１２を構成するＲＯ膜が、水道水中の塩素により劣化することを防ぐために、活性炭フィルター１４Ａによって塩素を分解することが必要となる。これに対し、第２の浄水器２０を構成して水処理を行なう場合には、厚生労働省健康局水道課の指導によれば、災害時の想定として、緊急時の給水では３Ｌ／人・日（×３日分）の飲料水確保が目安とされている。
この給水量に基づき塩素濃度が０．１〜１．５ｍｇ／Ｌ程度の水道水を被処理水として、第２の浄水器２０を２〜４日程度の期間だけ使用しても、膜フィルター１２のＲＯ膜に問題となるような劣化は生じないことが、本発明者らによって検証されている。よって、膜フィルター１２にＲＯ膜が使用される場合に、例えば原水が塩素を含むプール水であっても、災害時などの短期間の稼動では、塩素分解用に、前処理としての活性炭フィルター１４Ａは必須ではない。かかる理由からも、第２の浄水器２０では、活性炭フィルター１４Ａは使用されていない。
【００２５】
又、手動ポンプ２６による飲料水の造水量を１Ｌ／分程度とすれば、１時間で６０Ｌ、１日５時間の稼動で、約３００Ｌの飲料水を第２の浄水器２０により確保するものとなる。そして、上述した緊急時の飲料水確保の目安量（３Ｌ／人・日（×３日分））から換算して、１００人分の飲料水を得ることが可能である。
又、手動ポンプ２６のピストン（ハンドル２６ａ）の引上げ速度と押下げ速度とがほぼ同じであるとすると、１Ｌ／分程度の造水量を得るためには、手動ポンプ２６の押下げ時に２Ｌ／分の水量を得る必要がある。しかしながら、クッションタンク３２による流れの均一化によって、１Ｌ／分程度の造水量が得られることから、膜フィルター１２、ディスクフィルター２４等の容量及び機能は、２Ｌ／分に対応する必要が無く、１Ｌ／分に対応するものであれば良い。
【００２６】
本発明者らは、実証実験として、第２の浄水器２０を学校施設のプールに持ち込み、プールの貯水の濾過を実施した。プールの貯水の上層部では大量の藻が発生しており、光合成のために二酸化炭素が消費され、貯水のｐＨは８．４と高く、下層部から採水を行った。下層部のｐＨは８．２程度であった。
これを被処理水として、第２の浄水器２０により処理を行い、造水試験を行ったところ、浄化処理水は水道法５０項目の基準をクリアすると共に、食品衛生法に基づく清涼飲料水の９項目の基準も、同時にクリアするものとなった。
【００２７】
さて、上記構成をなす本発明の実施の形態によれば、次のような作用効果を得ることが可能である。
すなわち、本発明の実施の形態に係る浄水器は、通常時には、常用の浄水器として、膜フィルター１２の上流に、配管３０を介して電動ポンプ１６及び活性炭フィルター１４を連結して、第１の浄水器１０を構成するものである。そして、活性炭フィルター１４の上流に水道管を連結し、電動ポンプ１６により水道水を膜フィルター１２へと圧送することで高度の浄水を行ない、安全かつ美味しい水を提供することが可能となる。
【００２８】
一方、非常時には、膜フィルター１２を除いた要素、すなわち、電動ポンプ１６及び活性炭フィルター１４を、手動ポンプ２６及びディスクフィルター２４に交換するものである。そして、膜フィルターの１２上流に、配管３０を介して手動ポンプ２６及びディスクフィルター２４を連結して、第２の浄水器２０を構成するものである。そして、ディスクフィルター２４を水源５０に投入して、不特定の被処理水の浄水を行ない、安全な飲用水を提供するものである。第２の浄水器２０は、第１の浄水器１０を構成していた膜フィルター１２を、河川やプール等の、飲用水としての水質基準を満たさない水源地に持ち込み、手動ポンプ２６及びディスクフィルター２４と組み合わせることで、非常用浄水器の膜フィルター１２としても機能するものとなる。
【００２９】
このように、本発明の実施の形態に係る浄水器は、第１の浄水器１０と第２の浄水器２０とを、適宜構成可能な構成要素を含み、常用の浄水器である第１の浄水器１０の膜フィルター１２を、非常用の浄水器である第２の浄水器２０の膜フィルター１２としても共用し、常用と非常用とで兼用するものである。
又、本発明の実施の形態に係る浄水器は、第１の浄水器１０から分離した膜フィルター１２を用いて、第２の浄水器２０を構成する際に、電動ポンプ１６から膜フィルター１２を分離し、手動ポンプ２６へと接続するものである。このため、膜フィルター１２と、電動ポンプ１６又は手動ポンプ２６とを連結する配管３０の継ぎ手に、着脱自在な共通のコネクタを用いることで、分離・接続作業が簡単かつ確実となる。
【００３０】
そして、第１の浄水器１０を構成する態様では、膜フィルター１２に対し、電動ポンプ１２により、一定流量で連続した被処理水の供給を行なうものであり、膜フィルター１２の膜分離容量も、この連続する一定流量に基づき決定されるものである。一方、第２の浄水器２０を構成する態様においては、手動ポンプ２６に、クッションタンク３２を一体に備える往復動式手動ポンプを用い、膜フィルター１２に対して連続一定流量の被処理水供給を行なう。これにより、膜フィルター１２に対し一定流量で連続した、被処理水の供給を行なうことが可能となる。
その結果として、第１の浄水器１０を構成する態様を基準として膜分離容量が決定された膜フィルター１２で、第２の浄水器２０を構成する際にも、同様の処理効率を得ることが可能となる。
又、手動ポンプ２６とクッションタンク３２とが一体構成であることにより、構成要素数が削減され、老若男女を問わず、取り扱いを容易とすることが可能となる。
【符号の説明】
【００３１】
１０、２０：浄水器、  １２：膜フィルター、  １４、１４Ａ、１４Ｂ：活性炭フィルター、  １６：電動ポンプ、  １８、１８Ａ、１８Ｂ：濾過フィルター、  ２４：ディスクフィルター、  ２６：手動ポンプ、  ３０：配管、  ３２：クッションタンク、  ５０：水源
【図１】
2015085217.tif 000003
【手続補正書】
【提出日】平成26年11月4日(2014.11.4)
【手続補正１】
【補正対象書類名】特許請求の範囲
【補正対象項目名】全文
【補正方法】変更
【補正の内容】
【特許請求の範囲】
【請求項１】
膜フィルター、活性炭フィルター、ディスクフィルター、電動ポンプ、手動ポンプ、及び、これら各要素を連結可能な複数の配管が含まれ、
前記膜フィルターの上流に、前記配管を介して前記電動ポンプ及び前記活性炭フィルターを連結し、前記活性炭フィルターの上流に水道管が連結される第１の浄水器と、
前記膜フィルターの上流に、前記配管を介して前記手動ポンプ及び前記ディスクフィルターを連結し、飲用水としての水質基準を満たさない水源に前記ディスクフィルターが投入される第２の浄水器とが、
前記膜フィルターを除いた要素の交換により、選択的に構成可能であることを特徴とする浄水器。
【請求項２】
少なくとも、前記膜フィルターと、前記電動ポンプ又は前記手動ポンプとを連結する配管の継ぎ手に、着脱自在な共通のコネクタが用いられていることを特徴とする請求項１記載の浄水器。
【請求項３】
前記手動ポンプとして、
空気溜まりが上部に形成され、前記手動ポンプの吐出動作によって送り出される水との同伴による前記空気溜まりの空気の減少を防ぐための、オリフィス板が高さ方向の中間部よりも上方位置に設置され、前記手動ポンプの間欠流れを連続流れに変換する、クッションタンクを一体に備える、
往復動式手動ポンプが用いられることを特徴とする請求項１又は２記載の浄水器。
【請求項４】
膜フィルター、活性炭フィルター、ディスクフィルター、電動ポンプ、手動ポンプ、及び、これら各要素を連結可能な複数の配管を用意し、
通常時には、前記膜フィルターの上流に、前記配管を介して前記電動ポンプ及び前記活性炭フィルターを連結して第１の浄水器を構成し、前記活性炭フィルターの上流に水道管を連結して、水道水の浄水を行ない、
非常時には、前記膜フィルターを除いた要素を、前記手動ポンプ及び前記ディスクフィルターに交換し、前記膜フィルターの上流に、前記配管を介して前記手動ポンプ及び前記ディスクフィルターを連結して第２の浄水器を構成し、前記ディスクフィルターを、飲用水としての水質基準を満たさない水源に投入して、被処理水の浄水を行なうことを特徴とする浄水器の使用方法。
【請求項５】
少なくとも、前記膜フィルターと、前記電動ポンプ又は前記手動ポンプとを連結する配管の継ぎ手に、着脱自在な共通のコネクタを用いることを特徴とする請求項４記載の浄水器の使用方法。
【請求項６】
前記手動ポンプとして、
空気溜まりが上部に形成され、前記手動ポンプの吐出動作によって送り出される水との同伴による前記空気溜まりの空気の減少を防ぐための、オリフィス板が高さ方向の中間部よりも上方位置に設置され、前記手動ポンプの間欠流れを連続流れに変換する、クッションタンクを一体に備える、
往復動式手動ポンプを用いることを特徴とする請求項４又は５記載の浄水器の使用方法。
【手続補正２】
【補正対象書類名】明細書
【補正対象項目名】全文
【補正方法】変更
【補正の内容】
【発明の詳細な説明】
【技術分野】
【０００１】
本発明は、浄水器及びその使用方法に関するものである。
【背景技術】
【０００２】
近年、ボトルウォータの普及と共に、住宅における浄水器の普及が進んでいる。この浄水器は、水道水の水質を、より高度に浄化することにより安心・安全な水を得たい、塩素臭、結合塩素起因のカルキ臭を取り除き、水道水の風味をより良くして、美味しい水を得たい、といったような、ユーザの水に対する志向の高まりが反映されたものである。このため、活性炭、ＭＦ膜、ＵＦ膜又はＲＯ膜を用い、水道蛇口に取り付ける形式の簡易小型浄水器が広く普及している。又、より高度な水浄化を可能とすべく、ＮＦ膜、ＲＯ膜及び必要に応じ活性炭を台所シンク下等に配置する、据付型浄水器も広く普及している（例えば、特許文献１、２）。
【０００３】
一方、近年の防災意識の高まりを受けて、緊急時の水の確保に大きな関心が集まっている。本出願人らは、水の浄化に関して鋭意研究を進めており、上記要請に対応した、携行型浄水キットを開発している。この携行型浄水キットは、電力等の動力源が不要な手動式の浄水器を、携帯性に優れるように分解し、使用時には容易に組立て可能に構成したものである。具体的な構成としては、精密ろ過（ＭＦ）膜、限外ろ過（ＵＦ）膜又は逆浸透（ＲＯ）膜等を使用し、これらろ過膜への水の供給を、手動ポンプで行なうようにしたことで、災害時はもちろんのこと、レジャー目的、軍用装備品等、非常用の様々な用途に適合するものとなっている（例えば、特許文献３）。
【先行技術文献】
【特許文献】
【０００４】
【特許文献１】特開２００５−１８５９８５号公報
【特許文献２】特開２００７−０２９８３６号公報
【特許文献３】特開２０１０−２２１２０６号公報
【発明の概要】
【発明が解決しようとする課題】
【０００５】
本発明は、上記のごとく、ユーザの水に対する志向の高まりを受けて、水道水の浄化に用いる浄水器（常用）を提供し、なおかつ、この浄水器を非常用としても使用することを可能とし、非常用浄水器を常備する手間とコストとを、削減することを目的とするものである。
【０００６】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００７】
（１）膜フィルター、活性炭フィルター、ディスクフィルター、電動ポンプ、手動ポンプ、及び、これら各要素を連結可能な複数の配管が含まれ、前記膜フィルターの上流に、前記配管を介して前記電動ポンプ及び前記活性炭フィルターを連結し、前記活性炭フィルターの上流に水道管が連結される第１の浄水器と、前記膜フィルターの上流に、前記配管を介して前記手動ポンプ及び前記ディスクフィルターを連結し、飲用水としての水質基準を満たさない水源に前記ディスクフィルターが投入される第２の浄水器とが、前記膜フィルターを除いた要素の交換により、選択的に構成可能である浄水器（請求項１）。
本項に記載の浄水器は、通常時には、常用の浄水器として、膜フィルターの上流に、配管を介して電動ポンプ及び活性炭フィルターを連結してなる第１の浄水器を構成する。そして、活性炭フィルターの上流に水道管を連結し、電動ポンプにより水道水を膜フィルターへと圧送することで高度の浄水を行ない、安全かつ美味しい水を提供するものである。第１の浄水器は、例えば台所シンク下等に配置する据付型浄水器として機能するものである。
【０００８】
一方、非常時には、膜フィルターを除いた要素、すなわち、電動ポンプ及び活性炭フィルターを、手動ポンプ及びディスクフィルターに交換するものである。そして、膜フィルターの上流に、配管を介して手動ポンプ及びディスクフィルターを連結して第２の浄水器を構成し、ディスクフィルターを飲用水としての水質基準を満たさない水源に投入して、不特定の被処理水の浄水を行ない、安全な飲用水を提供するものである。第２の浄水器は、第１の浄水器を構成していた膜フィルターを、河川やプール等の、飲用水としての水質基準を満たさない水源地に持ち込み、手動ポンプ及びディスクフィルターと組み合わせることで、非常用浄水器として機能するものとなる。
すなわち、本項に係る浄水器は、第１の浄水器と第２の浄水器とを、適宜構成可能な構成要素を含み、常用の浄水器である第１の浄水器の膜フィルターを、非常用の浄水器である第２の浄水器の膜フィルターとしても共用し、常用と非常用とで兼用するものである。
【０００９】
（２）上記（１）項において、少なくとも、前記膜フィルターと、前記電動ポンプ又は前記手動ポンプとを連結する配管の継ぎ手に、着脱自在な共通のコネクタが用いられている浄水器（請求項２）。
本項に記載の浄水器は、第１の浄水器から分離した膜フィルターを用いて、第２の浄水器を構成する際に、電動ポンプから膜フィルターを分離し、手動ポンプへと接続するものである。そして、膜フィルターと、電動ポンプ又は手動ポンプとを連結する配管の継ぎ手に、着脱自在な共通のコネクタを用いることで、分離・接続作業を簡単かつ確実とするものである。
【００１０】
（３）上記（１）（２）項において、前記手動ポンプとして、空気溜まりが上部に形成され、前記手動ポンプの吐出動作によって送り出される水との同伴による前記空気溜まりの空気の減少を防ぐための、オリフィス板が高さ方向の中間部よりも上方位置に設置され、前記手動ポンプの間欠流れを連続流れに変換する、クッションタンクを一体に備える、往復動式手動ポンプが用いられる浄水器（請求項３）。
本項に記載の浄水器は、第１の浄水器を構成する態様では、膜フィルターに対し、電動ポンプにより一定流量で連続した、被処理水の供給を行なうものであり、膜フィルターの膜分離容量も、この連続する一定流量に基づき決定されるものである。一方、第２の浄水器を構成する態様において、往復動式手動ポンプにより被処理水の供給を行なう場合には、吸引動作と吐出動作とで１サイクルを構成することに起因した被処理水供給の脈動が生じると、吐出動作のときにのみ膜フィルターの膜分離が行われ、処理効率が１/２となってしまう。そこで、手動ポンプとして、空気溜まりが上部に形成され、手動ポンプの吐出動作によって送り出される水との同伴による空気溜まりの空気の減少を防ぐための、オリフィス板が高さ方向の中間部よりも上方位置に設置され、手動ポンプの間欠流れを連続流れに変換する、クッションタンクを一体に備える、往復動式手動ポンプを用い、膜フィルターに対して連続一定流量の被処理水供給を行なうことで、膜フィルターに対し一定流量で連続した被処理水供給を行なうものである。これにより、第１の浄水器を構成する態様を基準として膜分離容量が決定された膜フィルターで、第２の浄水器を構成する際にも、同様の処理効率を得るものである。
【００１１】
（４）膜フィルター、活性炭フィルター、ディスクフィルター、電動ポンプ、手動ポンプ、及び、これら各要素を連結可能な複数の配管を用意し、通常時には、前記膜フィルターの上流に、前記配管を介して前記電動ポンプ及び前記活性炭フィルターを連結して第１の浄水器を構成し、前記活性炭フィルターの上流に水道管を連結して、水道水の浄水を行ない、非常時には、前記膜フィルターを除いた要素を、前記手動ポンプ及び前記ディスクフィルターに交換し、前記膜フィルターの上流に、前記配管を介して前記手動ポンプ及び前記ディスクフィルターを連結して第２の浄水器を構成し、前記ディスクフィルターを、飲用水としての水質基準を満たさない水源に投入して、被処理水の浄水を行なう浄水器の使用方法（請求項４）。
【００１２】
（５）上記（４）項において、少なくとも、前記膜フィルターと、前記電動ポンプ又は前記手動ポンプとを連結する配管の継ぎ手に、着脱自在な共通のコネクタを用いる浄水器の使用方法（請求項５）
（６）上記（４）（５）項において、前記手動ポンプとして、空気溜まりが上部に形成され、前記手動ポンプの吐出動作によって送り出される水との同伴による前記空気溜まりの空気の減少を防ぐための、オリフィス板が高さ方向の中間部よりも上方位置に設置され、前記手動ポンプの間欠流れを連続流れに変換する、クッションタンクを一体に備える、往復動式手動ポンプを用いる浄水器の使用方法（請求項６）。
そして、上記（４）から（６）項記載の浄水器の使用方法は、上記（１）から（３）項記載の浄水器を使用する方法であり、上記（１）から（３）項記載の浄水器と同様の作用が得られるものである。
【発明の効果】
【００１３】
本発明はこのように構成したので、水道水の浄化に用いる浄水器（常用）を、非常用としても使用することを可能とし、非常用浄水器を常備する手間とコストとを、削減することが可能となる。
【図面の簡単な説明】
【００１４】
【図１】本発明の実施の形態に係る浄水器の構成を示す模式図であり、（ａ）は常用時の態様を、（ｂ）は非常時の態様を示すものである。
【発明を実施するための形態】
【００１５】
以下、本発明を実施するための最良の形態を添付図面に基づいて説明する。
本発明の実施の形態に係る浄水器は、図１（ａ）に示される第１の浄水器１０と、図１（ｂ）に示される第２の浄水器２０とを、選択的に構成することが可能なものである。このため、本発明の実施の形態では、膜フィルター１２、活性炭フィルター１４、電動ポンプ１６、濾過フィルター１８、ディスクフィルター２４、手動ポンプ２６、フロート２８、及び、これら各要素を連結可能な樹脂チューブ等の複数の配管３０が含まれる、浄水器セットとして構成されている。
【００１６】
第１の浄水器１０は、膜フィルター１２の上流に、配管３０を介して電動ポンプ１６及び活性炭フィルター１４を連結してなるものである。図１（ａ）のフローでは、更に、水道管と接続される最上流側に、本装置内では比較的粗めの５μｍ程度の濾過フィルター１８（１８Ａ）を配置している。以後順に、水道水に含まれる塩素を除去する活性炭フィルター１４（前処理活性炭１４Ａ）、上流側において何らかのトラブルが生じた場合のバックアップ用として１μｍ程度の濾過フィルター１８（チェックフィルター１８Ｂ）が配置される。
【００１７】
本例では、膜フィルター１２としてＲＯ膜を用い、その外形は、長さ２６２ｍｍ、直径７４ｍｍのものを１本使用し、造水能力は常圧５５０ｋＰａで４０〜７０Ｌ／ｈ程度である。又、ＲＯ膜は使いきり（使い捨て）されるものである。ＲＯ膜の収納ケースの上部に設置されているＴＤＳ（総溶解固形分：Ｔｏｔａｌ  Ｄｉｓｓｏｌｖｅｄ  Ｓｏｌｉｄｓ）メータ（図示省略）のセンサーは、ＲＯ膜の入口と出口との両配管の中に、夫々インサートされており、被処理水のＴＤＳ値に対して、処理水（飲料水）のＴＤＳ値が１５％を超える頃に、予備のＲＯ膜と交換される。そして、膜フィルター１２は適切なケースに収納され、その他の構成要素とは別体をなしている。なお、膜フィルター１２には、適宜、ＲＯ膜以外の膜ろ過手段（ＭＦ膜、ＵＦ膜等）を用いることとしても良い。
膜フィルター１２の処理水側の下流には、活性炭フィルター１４（改質用活性炭１４Ｂ）が配置されることで、より一層の「美味しい水」が提供されることとなる。一方、膜フィルター１２により分離された濃縮水は、被処理水としての水道水を高度処理した残渣であることから、汚染度は低く、トイレ洗浄水や園芸散水等の雑用水として利用可能である。なお、第１の浄水器１０を構成する際には、上述の浄水器セットに含まれる、ディスクフィルター２４、手動ポンプ２６、フロート２８及び必要な配管３０については、持ち運び用の容器やバッグにひとまとめに収納し、膜フィルター１２の設置場所の近傍に待機させておくことが望ましい。
【００１８】
これに対し、第２の浄水器２０は、膜フィルター１２の上流に、配管３０を介して手動ポンプ２６及びディスクフィルター２４を連結してなるものである。図１（ｂ）のフローでは、ディスクフィルター２４は、河川やプール等の、飲用水としての水質基準を満たさない水源５０に投入されるものである。そして、第２の浄水器１０を構成する際には、第１の浄水器１０から膜フィルター１２のみを取り外し、上述の浄水器セットに含まれる、ディスクフィルター２４、手動ポンプ２６、フロート２８及び必要な配管３０を収納した、持ち運び用の容器やバッグと共に、水源地へと持ち込むものである。
ところで、被処理水として河川やプール等を吸引する場合に、水道水と比較して汚濁度が高いことから、第１の浄水器１０で使用される活性炭フィルター１４や濾過フィルター１８（１８Ａ、１８Ｂ）を使用すると、交換頻度が高くなり、非常時の使用には適切ではない。このため、第２の浄水器２０は、活性炭フィルター１４および濾過フィルター１８を使用することなく構成されている。
【００１９】
ディスクフィルター２４の具体例としては、長さ１５７ｍｍ、直径４８ｍｍの複数のディスクが円筒状ハウジング内蔵され、ディスク間距離が１００μｍ、固液分離用の目孔１００μｍ程度の仕様となっている。各ディスクの間隔は調整可能であり、ディスクフィルター２４が目詰まりした場合には、間隔を広げて水洗いを行ない、再度間隔を狭めることで、再利用可能である。各ディスクの間隔調整機構としては、複数のディスクフィルターを、端部にネジ溝か形成された軸に挿通して端部をネジで固定し、このネジを緩めることでディスク間隔を広げ、締め付けることでディスク間隔を所定値に狭める構造等が採用可能である。
加えて、ディスクフィルター２４と手動ポンプ２６とを連結する配管３０には、発泡スチロール製の（直径７５ｍｍ）球状フロート２８が装着されており、ディスクフィルター２４の水中での高さを調整することで、底泥を吸い込むことを回避する。
【００２０】
手動ポンプ２６は、クッションタンク３２を一体に備える往復動式手動ポンプが用いられている。手動ポンプ２６は、一例として、操作ハンドル２６ａを含む高さが５００ｍｍ、胴部２６ｂの最大直径５５ｍｍ、往復動作の行程が１５０ｍｍである。又、クッションタンク３２の容量は、手動ポンプ２６の内容積の１／２〜２倍程度を目安に採用されている。本例では、手動ポンプ２６の内容量の、１．２倍の容量を有するクッションタンク３２が使用されている。
クッションタンク３２の上部には、手動ポンプ２６の吸引動作と吐出動作とで１サイクルを構成することに起因する、間欠流れを連続流れに変換するための、空気溜まり３２ａが形成される。
【００２１】
又、空気溜まり３２ａに貯留される空気は、時間経過と共に、手動ポンプ２６の吐出動作によって送り出される水に同伴して、少しづつ減少することから、適宜、クッションタンク３２に設けられたドレン弁３２ｂ及び空気取り込み弁３２ｃを開放し、空気溜まり３２ａに新たな空気を取り込む。
本例では、クッションタンク３２の縦／横比は３〜５倍程度の縦長形状である。又、空気と水との接触面積を小さくし、水に同伴して空気溜まり３２ａの空気の減少を防ぐために、クッションタンク３２の高さ方向の中間部よりもやや上方位置には、オリフィス板３２ｄが設置されている。本発明者らの鋭意研究の結果、オリフィス板３２ｄの中心孔の径は、クッションタンク３２の内径の１／２〜１／４程度で所望の効果が得られることが検証されている。なお、クッションタンク３２の空気溜まり３２ａの空気の減少は、第２の浄水器２０により得られる処理水が、連続的にではなく間欠的な断続流になることで、把握することが可能である。
【００２２】
更に、クッションタンク３２内の圧力が高くなりすぎることを防ぐために、クッションタンク３２にはリリーフ弁３２ｅが設けられている。そして、０．８〜０．９ＭＰａ程度にクッションタンク３２の内部圧力が達した時点で、リリーフ弁３２ｅが自動開放される。又、クッションタンク３２には、操作者による圧力監視用の圧力計３２ｆも設置されている。
手動ポンプ２６及びクッションタンク３２は、軽量化のために何れも主要部品が樹脂製であることが望ましく、両者は一体化されている。手動ポンプ２６及びクッションタンク３２に用いられる樹脂材料としては、ポリプロピレン、ポリエチレン、ＡＢＳ、ＰＶＣ等の、耐食性、耐久性に優れた材料が用いられる。そして、膜フィルター１２、ディスクフィルター２４及び手動ポンプ２６を含む、第２の浄水器２０の、装置全体としての重さは、使用前で８ｋｇ程度に納められ、水源地への持ち運びが容易となっている。
【００２３】
更に、少なくとも、膜フィルター１２と、電動ポンプ１６又は手動ポンプ２６とを連結する配管３０の継ぎ手に、着脱自在な共通のコネクタが用いられている。すなわち、電動ポンプ１６及び手動ポンプ２６と、配管３０とを着脱自在に連結するコネクタを、同形状及び同孔径のコネクタとしたものである。その他の要素間を接続する配管３０の継ぎ手に関しては、あらかじめ必要なフローとなる接続状態で配管３０を固定してもよいが、取扱い性の観点から、同様に着脱自在な共通のコネクタを用いることとしても良い。
【００２４】
なお、第１の浄水器１０を構成して水処理を行なう場合には、膜フィルター１２を構成するＲＯ膜が、水道水中の塩素により劣化することを防ぐために、活性炭フィルター１４Ａによって塩素を分解することが必要となる。これに対し、第２の浄水器２０を構成して水処理を行なう場合には、厚生労働省健康局水道課の指導によれば、災害時の想定として、緊急時の給水では３Ｌ／人・日（×３日分）の飲料水確保が目安とされている。
この給水量に基づき塩素濃度が０．１〜１．５ｍｇ／Ｌ程度の水道水を被処理水として、第２の浄水器２０を２〜４日程度の期間だけ使用しても、膜フィルター１２のＲＯ膜に問題となるような劣化は生じないことが、本発明者らによって検証されている。よって、膜フィルター１２にＲＯ膜が使用される場合に、例えば原水が塩素を含むプール水であっても、災害時などの短期間の稼動では、塩素分解用に、前処理としての活性炭フィルター１４Ａは必須ではない。かかる理由からも、第２の浄水器２０では、活性炭フィルター１４Ａは使用されていない。
【００２５】
又、手動ポンプ２６による飲料水の造水量を１Ｌ／分程度とすれば、１時間で６０Ｌ、１日５時間の稼動で、約３００Ｌの飲料水を第２の浄水器２０により確保するものとなる。そして、上述した緊急時の飲料水確保の目安量（３Ｌ／人・日（×３日分））から換算して、１００人分の飲料水を得ることが可能である。
又、手動ポンプ２６のピストン（ハンドル２６ａ）の引上げ速度と押下げ速度とがほぼ同じであるとすると、１Ｌ／分程度の造水量を得るためには、手動ポンプ２６の押下げ時に２Ｌ／分の水量を得る必要がある。しかしながら、クッションタンク３２による流れの均一化によって、１Ｌ／分程度の造水量が得られることから、膜フィルター１２、ディスクフィルター２４等の容量及び機能は、２Ｌ／分に対応する必要が無く、１Ｌ／分に対応するものであれば良い。
【００２６】
本発明者らは、実証実験として、第２の浄水器２０を学校施設のプールに持ち込み、プールの貯水の濾過を実施した。プールの貯水の上層部では大量の藻が発生しており、光合成のために二酸化炭素が消費され、貯水のｐＨは８．４と高く、下層部から採水を行った。下層部のｐＨは８．２程度であった。
これを被処理水として、第２の浄水器２０により処理を行い、造水試験を行ったところ、浄化処理水は水道法５０項目の基準をクリアすると共に、食品衛生法に基づく清涼飲料水の９項目の基準も、同時にクリアするものとなった。
【００２７】
さて、上記構成をなす本発明の実施の形態によれば、次のような作用効果を得ることが可能である。
すなわち、本発明の実施の形態に係る浄水器は、通常時には、常用の浄水器として、膜フィルター１２の上流に、配管３０を介して電動ポンプ１６及び活性炭フィルター１４を連結して、第１の浄水器１０を構成するものである。そして、活性炭フィルター１４の上流に水道管を連結し、電動ポンプ１６により水道水を膜フィルター１２へと圧送することで高度の浄水を行ない、安全かつ美味しい水を提供することが可能となる。
【００２８】
一方、非常時には、膜フィルター１２を除いた要素、すなわち、電動ポンプ１６及び活性炭フィルター１４を、手動ポンプ２６及びディスクフィルター２４に交換するものである。そして、膜フィルターの１２上流に、配管３０を介して手動ポンプ２６及びディスクフィルター２４を連結して、第２の浄水器２０を構成するものである。そして、ディスクフィルター２４を水源５０に投入して、不特定の被処理水の浄水を行ない、安全な飲用水を提供するものである。第２の浄水器２０は、第１の浄水器１０を構成していた膜フィルター１２を、河川やプール等の、飲用水としての水質基準を満たさない水源地に持ち込み、手動ポンプ２６及びディスクフィルター２４と組み合わせることで、非常用浄水器の膜フィルター１２としても機能するものとなる。
【００２９】
このように、本発明の実施の形態に係る浄水器は、第１の浄水器１０と第２の浄水器２０とを、適宜構成可能な構成要素を含み、常用の浄水器である第１の浄水器１０の膜フィルター１２を、非常用の浄水器である第２の浄水器２０の膜フィルター１２としても共用し、常用と非常用とで兼用するものである。
又、本発明の実施の形態に係る浄水器は、第１の浄水器１０から分離した膜フィルター１２を用いて、第２の浄水器２０を構成する際に、電動ポンプ１６から膜フィルター１２を分離し、手動ポンプ２６へと接続するものである。このため、膜フィルター１２と、電動ポンプ１６又は手動ポンプ２６とを連結する配管３０の継ぎ手に、着脱自在な共通のコネクタを用いることで、分離・接続作業が簡単かつ確実となる。
【００３０】
そして、第１の浄水器１０を構成する態様では、膜フィルター１２に対し、電動ポンプ１２により、一定流量で連続した被処理水の供給を行なうものであり、膜フィルター１２の膜分離容量も、この連続する一定流量に基づき決定されるものである。一方、第２の浄水器２０を構成する態様においては、手動ポンプ２６に、クッションタンク３２を一体に備える往復動式手動ポンプを用い、膜フィルター１２に対して連続一定流量の被処理水供給を行なう。これにより、膜フィルター１２に対し一定流量で連続した、被処理水の供給を行なうことが可能となる。
その結果として、第１の浄水器１０を構成する態様を基準として膜分離容量が決定された膜フィルター１２で、第２の浄水器２０を構成する際にも、同様の処理効率を得ることが可能となる。
又、手動ポンプ２６とクッションタンク３２とが一体構成であることにより、構成要素数が削減され、老若男女を問わず、取り扱いを容易とすることが可能となる。
【符号の説明】
【００３１】
１０、２０：浄水器、  １２：膜フィルター、  １４、１４Ａ、１４Ｂ：活性炭フィルター、  １６：電動ポンプ、  １８、１８Ａ、１８Ｂ：濾過フィルター、  ２４：ディスクフィルター、  ２６：手動ポンプ、  ３０：配管、  ３２：クッションタンク、  ５０：水源